(57)【要約】【課題】複数の記録媒体を配置可能な撮像装置において、記録モードの設定と確認を容易に行うことができるようにする。【解決手段】静止画あるいは動画を撮影する撮像手段と、複数の記録媒体を装着するために設けられた複数の装着部に対して接続されている記録媒体のそれぞれの位置を検出する位置検出手段と、前記位置検出手段により検出される記録媒体のそれぞれの装着位置に基づいて、前記複数の記録媒体への記録モードを切り替える記録モード決定手段とを設け、複数の記録媒体が装着されている状態に応じて、前記複数の記録媒体への記録方法を切り替えることにより、ユーザ操作による記録モードの設定と確認操作を不要にする。【選択図】図３
2011234291.tif 000002
【特許請求の範囲】
【請求項１】
静止画あるいは動画を撮影する撮像手段と、
複数の記録媒体を装着するために設けられた複数の装着部に対して接続されている記録媒体のそれぞれの位置を検出する位置検出手段と、
前記位置検出手段により検出される記録媒体のそれぞれの装着位置に基づいて、前記複数の記録媒体への記録モードを切り替える記録モード決定手段とを有することを特徴とする撮像装置。
【請求項２】
前記複数の装着部は、前記複数の記録媒体をＭ行Ｎ列(Ｍ、Ｎは２以上)に装着可能に設けられていることを特徴とする請求項１に記載の撮像装置。
【請求項３】
前記記録モード決定手段は、前記複数の装着部に装着された記録媒体のそれぞれの装着位置に基づいて、記録容量を拡張する容量拡張モードと、撮影された静止画あるいは動画をバックアップするバックアップモードとを切り替えることを特徴とする請求項１または２に記載の撮像装置。
【請求項４】
前記記録モード決定手段は、前記複数の装着部に装着された記録媒体のそれぞれの装着位置に基づいて、撮影された画像を記録する記録媒体に記録フォーマットごとに振り分けることを特徴とする請求項１または２に記載の撮像装置。
【請求項５】
複数の記録媒体と無線でデータ通信を行う通信手段と、
前記通信手段から出力される前記記録媒体の通信強度を検出するセンサを有し、前記センサの出力に基づいて前記記録媒体の装着位置を検出する位置検出手段と、
前記位置検出手段から得られた位置情報と、あらかじめ対応させた制御情報とに基づいて、前記複数の記録媒体への記録モードを振り分ける記録モード決定手段とを有することを特徴とする撮像装置。
【請求項６】
静止画あるいは動画を撮影する撮像工程と、
複数の記録媒体を装着するために設けられた複数の装着部に対して接続されている記録媒体のそれぞれの位置を検出する位置検出工程と、
前記位置検出工程において検出される記録媒体のそれぞれの装着位置に基づいて、前記複数の記録媒体への記録モードを切り替える記録モード決定工程とを有することを特徴とする撮像方法。
【請求項７】
複数の記録媒体と無線でデータ通信を行う通信工程と、
前記通信工程から出力される前記記録媒体の通信強度を検出するセンサを有し、前記センサの出力に基づいて前記記録媒体の装着位置を検出する位置検出工程と、
前記位置検出工程において得られた位置情報と、あらかじめ対応させた制御情報とに基づいて、前記複数の記録媒体への記録モードを振り分ける記録モード決定工程とを有することを特徴とする撮像方法。
【請求項８】
静止画あるいは動画を撮影する撮像工程と、
複数の記録媒体を装着するために設けられた複数の装着部に対して接続されている記録媒体のそれぞれの位置を検出する位置検出工程と、
前記位置検出工程において検出される記録媒体のそれぞれの装着位置に基づいて、前記複数の記録媒体への記録モードを切り替える記録モード決定工程とをコンピュータに実行させることを特徴とするプログラム。
【請求項９】
複数の記録媒体と無線でデータ通信を行う通信工程と、
前記通信工程から出力される前記記録媒体の通信強度を検出するセンサを有し、前記センサの出力に基づいて前記記録媒体の装着位置を検出する位置検出工程と、
前記位置検出工程において得られた位置情報と、あらかじめ対応させた制御情報とに基づいて、前記複数の記録媒体への記録モードを振り分ける記録モード決定工程とをコンピュータに実行させることを特徴とするプログラム。
【発明の詳細な説明】
【技術分野】
【０００１】
本発明は撮像装置及び撮像方法に関し、特に、撮影された静止画像や動画を記録するための記録媒体を複数個配置することが可能な撮像装置に用いて好適な技術に関するものである。
【背景技術】
【０００２】
近年、デジタルカメラの一部には複数の記録媒体を装着できるものがあり、これらの複数の記録媒体を併用する方法が種々提案されている。複数の記録媒体に静止画像や動画を記録可能なデジタルカメラにおいては、１回の撮影で生成された同一の画像データを複数の記録媒体にそれぞれ記録することが可能である。このようにすることで、バックアップ機能を提供する記録モードを備えた電子スチルカメラが知られている（例えば、特許文献１）。
【０００３】
また、通常、デジタルカメラはユーザが選択可能な複数の記録形式（フォーマット）のうち、別々の形式で複数の記録媒体に記録することで、振り分け機能を提供する記録モードが知られている。このような選択可能な形式の例としては、画像の種類(RAW／JPEG／TIFF)、画像のサイズ、圧縮方式（非圧縮／圧縮の選択や、複数の圧縮方式からの選択など）、圧縮率などがある。
【先行技術文献】
【特許文献】
【０００４】
【特許文献１】特開平７−２３１４２０号公報
【発明の概要】
【発明が解決しようとする課題】
【０００５】
しかしながら、複数の記録媒体にバックアップ機能や振り分け機能などの記録モードを設定するには、液晶などの表示装置上に表示された記録モードの選択画面を介して、ユーザ記録モードを選択する操作を行う必要がある。
【０００６】
本発明は前述の問題点に鑑み、複数の記録媒体を配置可能な撮像装置において、記録モードの設定を容易に行うことができるようにすることを目的とする。
【課題を解決するための手段】
【０００７】
本発明の撮像装置は、静止画あるいは動画を撮影する撮像手段と、複数の記録媒体を装着するために設けられた複数の装着部に対して接続されている記録媒体のそれぞれの位置を検出する位置検出手段と、前記位置検出手段により検出される記録媒体のそれぞれの装着位置に基づいて、前記複数の記録媒体への記録モードを切り替える記録モード決定手段とを有することを特徴とする。
【発明の効果】
【０００８】
本発明によれば、撮影者が記録モードの設定を容易に行うことができる。
【図面の簡単な説明】
【０００９】
【図１】第１の実施形態を示し、撮像装置の構成例を示すブロック図である。
【図２】第１の実施形態を示し、記録媒体の配置例を示す図である。
【図３】第１の実施形態を示し、デジタルカメラのメインフローチャートである。
【図４】第１の実施形態を示し、記録モード決定手順のフローチャートである。
【図５】第１の実施形態を示し、撮影可能枚数算出手順のフローチャートである。
【図６】第２の実施形態を示し、デジタルカメラのメインフローチャートである。
【図７】第３の実施形態を示し、撮像装置の構成例を示すブロック図である。
【発明を実施するための形態】
【００１０】
（第１の実施形態）
以下、図面を参照して本発明の第１の実施形態を説明する。
図１は、本発明の実施形態のデジタルカメラ１００の構成例を説明するブロック図である。
図１に示すように、本実施形態のデジタルカメラ１００は、撮影レンズ１０、光学像を電気信号に変換する撮像部１２、撮像部１２のアナログ信号出力をディジタル信号に変換するＡ／Ｄ変換器１４を有する。
【００１１】
画像処理部２０は、Ａ／Ｄ変換器１４からのデータ、或いはメモリ制御部２２からのデータに対して所定の画素補間処理や色変換処理を行う。メモリ制御部２２は、Ａ／Ｄ変換器１４、画像処理部２０、メモリ３０、圧縮・伸長部３２を制御する。Ａ／Ｄ変換器１４のデータが画像処理部２０、メモリ制御部２２を介して、或いはＡ／Ｄ変換器１４のデータがメモリ制御部２２を介して、メモリ３０に直接書き込まれる。
【００１２】
システム制御部５０は、撮影した静止画像や動画像をメモリ３０に格納するよう制御する。メモリ３０は、所定枚数の静止画像や所定時間の動画像を格納するのに十分な記憶量を備えている。これにより、複数枚の静止画像を連続して撮影する連写撮影の場合にも、高速かつ大量の画像書き込みをメモリ３０に対して行うことが可能となる。画像データを圧縮伸長する圧縮・伸長部３２は、メモリ３０に格納された画像を読み込んで圧縮処理或いは伸長処理を行い、処理を終えた画像データをメモリ３０に再び書き込む。デジタルカメラ１００の全体動作は、システム制御部５０が制御する。
【００１３】
電源制御部７０は、電池検出回路、DC-DCコンバータ、通電するブロックを切り替えるスイッチ回路等により構成されている。そして、電池の装着の有無、電池の種類、電池残量の検出を行い、検出結果及びシステム制御部５０の指示に基づいてDC-DCコンバータを制御し、必要な電圧を必要な期間、記録媒体を含む各部へ供給する。本実施形態においては、コネクタ７２を介して電源７４を接続した例を示している。システム制御部５０の各種の動作指示は操作部４６により行うことができる。操作部４６は、スイッチやダイアル、タッチパネル等の単数或いは複数の組み合わせで構成される。
【００１４】
ここで、これらの操作部４６の具体的な説明を行う。
４２は第１のシャッタースイッチ（SW1）であり、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００１５】
４４は第２のシャッタースイッチ（SW2）で、不図示のシャッターボタンの完全な押下でONとなる。ONとなると、撮像部１２から読み出した信号をＡ／Ｄ変換器１４、メモリ制御部２２を介してメモリ３０に画像データを書き込む露光処理、画像処理部２０やメモリ制御部２２での演算を用いた現像処理を行う。また、メモリ３０から画像データを読み出し、圧縮・伸長部３２で圧縮処理を行い、第１の記録媒体２３０、第２の記録媒体２３２、第３の記録媒体２３４、第４の記録媒体２３６に画像データを書き込む記録処理を行う、という一連の処理の動作開始を指示する。
【００１６】
８０、８２、８４及び８６はメモリカードやハードディスク等の記録媒体とのインターフェース（装着部）であり、９０、９２、９４、及び９６はメモリカードやハードディスク等の記録媒体と接続を行うコネクタである。９０、９２、９４、及び９６は図２に示すようにＭ行Ｎ列(Ｍ、Ｎは２以上)に装着可能である。本実施形態では縦２行、横２列に配置され、複数の記録媒体を装着することができるようにした例を示している。
【００１７】
記録媒体２３０、２３２、２３４及び２３６は、メモリカードやハードディスク等の記録媒体である。記録媒体２３０、２３２、２３４及び２３６は、半導体メモリや磁気ディスク等から構成される記録部２２０、２２２、２２４及び２２６と、デジタルカメラ１００とのインターフェース２００、２０２、２０４及び２０６とを備えている。また、デジタルカメラ１００と接続を行うコネクタ２１０、２１２、２１４及び２１６を備えている。
【００１８】
記録媒体位置検知部６２は、コネクタ９０、９２、９４或いは９６に第１の記録媒体２３０、第２の２３２、第３の記録媒体２３４或いは第４の記録媒体２３６が装着されている位置を検知する。
図２に、第１〜第４の記録媒体の配置例を示す。本実施形態のデジタルカメラ１００は縦２行、横２列に複数の記録媒体を装着可能であり、１行目の記録媒体が第１の記録媒体２３０と第２の記録媒体２３２、２行目の記録媒体が第３の記録媒体２３４と第４の記録媒体２３６である。
【００１９】
なお、本実施形態では記録媒体を取り付けるインターフェース及びコネクタを縦２行、横２列の４系統持つものとして説明している。もちろん、記録媒体を取り付けるインターフェース及びコネクタは、いずれの系統数を備える構成としても構わない。また、異なる規格のインターフェース及びコネクタを組み合わせて備える構成としても構わない。
【００２０】
次に、図３〜図５のフローチャートを参照して、第１の実施形態のデジタルカメラ１００の動作を説明する。
図３は、本実施形態のデジタルカメラ１００の主ルーチンの動作を説明するフローチャートである。各ステップにおける動作は、システム制御部５０の制御により行われる。
電源投入により、デジタルカメラ１００が起動すると、Ｓ３０１において、システム制御部５０はフラグや制御変数等を初期化し、表示部４８の画像表示をOFF状態に初期設定する。
【００２１】
次に、Ｓ３０２において、第１の記録媒体２３０〜第４の記録媒体２３６のいずれかの記録媒体で、動作状態がデジタルカメラ１００の動作、特に記録媒体に対する画像データの記録再生動作に問題があるか否かを判断する。この判断の結果、問題があるならばＳ３０３で所定の警告表示を行った後に、Ｓ３０２に戻る。また、Ｓ３０２の判断の結果、記録媒体２３０〜２３６の動作状態に問題が無いならば、表示部４８を用いて画像や音声によりデジタルカメラ１００の各種設定状態の表示を行う。
【００２２】
次に、Ｓ３０４において、システム制御部５０は、記録媒体位置検知部６２から記録媒体２３０〜２３６の着脱状態または記録媒体２３０〜２３６の装着位置を検出する。
次に、Ｓ３０５に進み、Ｓ３０４の検出処理により、検出された記録媒体２３０〜２３６の位置情報と、あらかじめ対応させた制御情報とに応じて、システム制御部５０は撮影画像の記録モードを切り替える記録モード決定処理を行う。
【００２３】
Ｓ３０５で行う記録モードの決定処理を、図４のフローチャートを用いて詳細に説明する。
Ｓ４０１において、第１の記録媒体２３０が装着されているのを確認すると、次に、Ｓ４０２に進み、同列の位置の記録媒体である第３の記録媒体２３４が装着されているか否かを判断する。この判断の結果、装着されている場合にはＳ４０３に進み、システム制御部５０は記録モードにバックアップモードを設定する。
【００２４】
一方、Ｓ４０２の判断の結果、第３の記録媒体２３４が装着されていない場合にはＳ４０４に進み、第１の記録媒体２３０の同行の位置の記録媒体である第２の記録媒体２３２が装着されているか否かを判断する。この判断の結果、装着されている場合はＳ４０５に進み、システム制御部５０は記録モードに、記録容量を拡張する容量拡張モードを設定する。容量拡張モードは、第１の記録媒体２３０の容量に空きがなくなったときに、次に撮影される画像データは第２の記録媒体２３２に記録される。例えば、第１の記録媒体２３０の空き容量が１GBで第２の記録媒体２３２の空き容量が２GBの場合に、撮影者からは１GB＋２GB＝３GBの空き容量の記録媒体と同様となる。Ｓ４０４の判断の結果、装着されていない場合は処理を終了する。
【００２５】
Ｓ４０３の処理が終了すると、Ｓ４０６に進み、第４の記録媒体２３６も装着されているか否かを判断する。この判断の結果、装着されている場合、Ｓ４０７に進み、システム制御部５０は記録モードを前述したバックアップモードに加え、同行の記録媒体の容量が容量拡張モードとなるように設定する。この記録モードに応じて、システム制御部５０は撮影可能枚数の算出処理（Ｓ３０６）を行う。
【００２６】
次に、図５のフローチャートを用いて、撮影可能枚数の算出処理を詳細に説明する。
処理が開始されると、Ｓ５０１において、バックアップモードか否かを判断する。前述した図３のＳ３０５で決定した記録モードがバックアップモードの場合には、Ｓ５０２に進み、撮影可能枚数は、１行目の記録媒体の撮影可能枚数（（第１の記録媒体２３０＋第２の記録媒体２３２）÷予想画像サイズ）を計算する。また、２行目の記録媒体の撮影可能枚数（（第３の記録媒体２３４＋第４の記録媒体２３６）÷予想画像サイズ）を計算する。そして、これらの計算結果の小さい方を撮影可能枚数とする。
【００２７】
一方、Ｓ５０１の判断の結果、Ｓ３０５で決定した記録モードがバックアップモードではない場合には、Ｓ５０３に進む。Ｓ５０３においては、撮影可能枚数は、１行目の記録媒体の撮影可能枚数（（第１の記録媒体２３０＋第２の記録媒体２３２）÷予想画像サイズ）を撮影可能枚数とする。
【００２８】
Ｓ５０２またはＳ５０３の処理を終了すると、次に、Ｓ５０４に進む。Ｓ５０４においては、撮影可能枚数が０より大きいか否かを判断する。この判断の結果、大きい場合には撮影可能枚数の算出処理を終了する。また、撮影可能枚数が０の場合にはＳ５０５において、撮影を禁止し、警告表示などを行い、その後、撮影可能枚数の算出処理を終了する。
【００２９】
図３のフローチャートの説明に戻る。
Ｓ３０６の撮影可能枚数の算出の結果、撮影可能枚数が０以外の場合には、Ｓ３０７の撮影処理に進む。
撮影処理において、第１のシャッタースイッチ（SW1）４２が押されていたならば、システム制御部５０は、測距処理を行って撮影レンズ１０の焦点を被写体に合わせ、測光処理を行って絞り値及びシャッター時間を決定する。また、測光処理において、必要であればフラッシュの設定も行う。
【００３０】
また、第２のシャッタースイッチ（SW２）４４が押されたならば、撮像部１２、Ａ／Ｄ変換器１４、画像処理部２０、メモリ制御部２２を介して、画像データをメモリ３０に書き込む処理を行う。或いはＡ／Ｄ変換器１４から直接、メモリ制御部２２を介して、撮影した画像データをメモリ３０に書き込む処理を行う。また、メモリ制御部２２を用い、または必要に応じて画像処理部２０を用いて、メモリ３０に書き込まれた画像データを読み出して各種処理を施す現像処理を行う。前述した画像データをメモリ３０に書き込む処理、及び現像処理を総称して撮影処理とする。
【００３１】
次に、Ｓ３０８において、Ｓ３０５で決定した記録モードがバックアップモードか否かを判断する。この判断の結果、バックアップモードならばＳ３１０に進み、第１の記録媒体２３０または第２の記録媒体２３２のいずれかの記録媒体に画像データの書き込みを行う。さらに、第３の記録媒体２３４または第４の記録媒体２３６のいずれかの記録媒体に画像データの書き込みを行う。バックアップモードの場合には、画像データを複数の記録媒体のいずれか２つの記録媒体に書き込みを行う。
【００３２】
一方、Ｓ３０８の判断の結果、Ｓ３０５で決定した記録モードがバックアップモードでない場合にはＳ３０９に進み、第１の記録媒体２３０または第２の記録媒体２３２のいずれかの記録媒体に画像データの書き込みを行う。バックアップモードでない場合には、画像データを複数の記録媒体のいずれか１つの記録媒体に書き込みを行う。
【００３３】
（第２の実施形態）
次に、本発明の第２の実施形態を説明する。
第１の実施形態においては、複数の記録媒体の位置に応じて、記録モードを容量拡張モードとバックアップモードを切り替える実施形態を説明した。これに対し、本実施形態では複数の記録媒体の位置に応じて、記録媒体に記録する記録フォーマットを切り替えるものである。
【００３４】
図６に示すフローチャートを用い、本実施形態に係るデジタルカメラの動作について説明する。なお、図６において前述した図３と同じ処理を行うステップについては同じステップ番号を付し、重複する説明は省略する。また、本実施形態に係るデジタルカメラについては図１及び図２に示した構成と同一でよいため、構成に関する説明も省略する。
【００３５】
本実施形態のデジタルカメラは、撮影画像を記録する記録フォーマットとして複数の記録フォーマットが選択可能である。本実施形態としては、ＲＡＷ画像とＪＰＥＧ画像が選択可能とする。記録フォーマットとしては他に動画などがある。
【００３６】
Ｓ３０７の撮影処理の後、Ｓ６０１において、第１の記録媒体２３０の他に第３の記録媒体２３４または第４の記録媒体２３６が装着されているか否かを判断する。この判断の結果、装着されている場合（第１の記録媒体と別の行に記録媒体が装着されている場合）にはＳ６０４に進み、装着されていない場合にはＳ６０２に進む。Ｓ６０２においては第１の記録媒体２３０または第２の記録媒体２３２に画像データを記録する。その後、Ｓ６０３に進み、撮影した画像をすべて記録したか否かを判断する。この判断の結果、記録した場合には処理を終了する。また、記録していない場合にはＳ６０２に戻り、記録処理を行う。
【００３７】
一方、Ｓ６０４に進んだ場合には、記録フォーマットがＪＰＥＧ画像か否かを判断する。この判断の結果、ＪＰＥＧ画像であるならばＳ６０５に進み、違う場合はＳ６０６に進む。Ｓ６０５においては、第１の記録媒体２３０または第２の記録媒体２３２に撮影されたＪＰＥＧ画像データを記録する。その後、Ｓ６０６に進む。
【００３８】
Ｓ６０６においては、記録フォーマットがＲＡＷ画像であるか否かを判断する。この判断の結果、ＲＡＷ画像である場合にはＳ６０７に進み、違う場合にはＳ６０８に進む。Ｓ６０７においては、第３の記録媒体２３４または第４の記録媒体２３６に撮影されたＲＡＷ画像データを記録する処理を行う。その後、Ｓ６０８に進む。
【００３９】
Ｓ６０８においては、撮影した画像をすべて記録したか否かを判断する。この判断の結果、記録した場合には処理を終了する。また、記録していない場合にはＳ６０４に戻り、前述した処理を行う。
【００４０】
本実施形態においては、第１の記録媒体２３０と別の行に記録媒体が装着されている場合で、さらに撮影された画像の記録フォーマットがＪＰＥＧ画像の場合には、第１の記録媒体２３０または第２の記録媒体２３２に撮影されたＪＰＥＧ画像を記録する。
【００４１】
また、記録フォーマットがＲＡＷ画像の場合には、第３の記録媒体２３４または第４の記録媒体２３６にＲＡＷ画像データを記録する。また、一度の撮影でＲＡＷ画像とＪＰＥＧ画像の複数のフォーマットを生成する同時記録の場合には、複数の記録フォーマットの記録が全ておわるまでＳ６０４〜Ｓ６０８の処理を繰り返し行う。これにより、第１の記録媒体２３０と同じ行に装着されている記録媒体にはＪＰＥＧ画像のみが記録され、記録媒体２３０と別の行に装着されている記録媒体にはＲＡＷ画像のみが記録される。
【００４２】
なお、本実施形態では複数の記録媒体の位置に応じて、記録媒体に記録する記録フォーマットを切り替えるとしたが、記録フォーマットに限定されるものではない。他に、画像のサイズ、圧縮方式（非圧縮／圧縮の選択や、複数の圧縮方式からの選択など）、圧縮 率などでも同様の手法を用いて実現することが可能である。
【００４３】
（第３の実施形態）
前述した第１の実施形態及び第２の実施形態においては、デジタルカメラに複数の記録媒体を装着し、複数の記録媒体の位置に応じて記録モードまた記録フォーマットを切り替えるとした。本実施形態では、この複数の記録媒体とデジタルカメラとの間で無線でデータ通信を行う例を説明する。
【００４４】
図７は、本発明の第３の実施形態のデジタルカメラの構成例を示すブロック図である。本実施形態に係るデジタルカメラ４００において、図１に示した構成と同じ機能であるブロックについては同じ参照数字を付し、重複する説明は省略する。
【００４５】
３５０、３５２、３５４及び３５６は無線で通信可能な記録媒体と無線通信を行う無線通信部である。無線通信部３５０〜３５６は、図示しないアンテナ及び通信制御回路で構成される。記録媒体３３０、３３２、３３４及び３３６は、半導体メモリや磁気ディスク等から構成される記録部３２０、３２２、３２４及び３２６と、デジタルカメラ４００との無線通信部３００、３０２、３０４及び３０６を備えている。
【００４６】
このような構成により、無線通信でデジタルカメラ４００とデータの送受信が可能である。３００、３０２、３０４及び３０６は無線通信部であり、同様にアンテナ及び通信制御回路で構成される。記録媒体位置検出部３６２は、無線通信部３５０〜３５６からのアンテナの電波強度（通信強度）を検出するセンサを有し、センサから出力される情報を元にして、無線で通信可能な記録媒体３３０、３３２、３３４及び３３６の位置を特定する。前述の構成で、第１の実施形態及び第２の実施形態において、記録媒体２３０、２３２、２３４及び２３６を、記録媒体３３０、３３２、３３４及び３３６と置き換えれば同様の動作を実現することが実施可能である。
【００４７】
前述したように、本実施形態においては、複数の記録媒体を装着する位置に応じて、記録媒体の容量拡張モードとバックアップモードを切り替えることができる。また、RAW画像とJPEG画像の保存先を振り分けることができる。さらに、静止画と動画の保存先を切り替えることができる。これにより、複数の記録媒体を装着可能な撮像装置において、記録モード設定を行う際の利便性を向上することができる。
【００４８】
（その他の実施形態）
本発明は、以下の処理を実行することによっても実現される。即ち、前述した実施形態の機能を実現するソフトウェア（コンピュータプログラム）を、ネットワーク又は各種のコンピュータ読み取り可能な記録媒体を介してシステム或いは装置に供給する。そして、そのシステム或いは装置のコンピュータ（またはＣＰＵやＭＰＵ等）がプログラムを読み出して実行する処理である。
【図１】
2011234291.tif 000003
【図２】
2011234291.tif 000004
【図３】
2011234291.tif 000005
【図４】
2011234291.tif 000006
【図５】
2011234291.tif 000007
【図６】
2011234291.tif 000008
【図７】
2011234291.tif 000009